(57)【要約】      （修正有）【課題】複数のコンデンサが装着されるコンデンサモジュールにおいて、コンデンサの補助端子とケース部材との固定強度を高め、固定の安定性を向上させる。【解決手段】複数のコンデンサ６を収納する収納部を有するケース部材（メインケース４−１、ボトムケース）を備えるコンデンサモジュール２であって、前記コンデンサは前記ケース部材と固定される補助端子１６を備え、前記ケース部材は金属板（端子受け板３４）を一体成形した端子受け部２４を備え、前記補助端子が前記端子受け部の前記金属板に固定されている。【選択図】図２
2015012232.tif 000002
【特許請求の範囲】
【請求項１】
複数のコンデンサを収納する収納部を有するケース部材を備えるコンデンサモジュールであって、
前記コンデンサは前記ケース部材と固定される補助端子を備え、
前記ケース部材は金属板を一体成形した端子受け部を備え、
前記補助端子が前記端子受け部の前記金属板に固定されていることを特徴とするコンデンサモジュール。
【請求項２】
前記補助端子と前記金属板がネジにより固定されていることを特徴とする請求項１記載のコンデンサモジュール。
【請求項３】
前記補助端子と前記金属板が溶接により固定されていることを特徴とする請求項１記載のコンデンサモジュール。
【請求項４】
複数のコンデンサを収納する収納部を有するケース部材を備えるコンデンサモジュールの製造方法であって、
前記ケース部材に金属板の一体成形により端子受け部を形成し、
前記金属板に前記コンデンサの補助端子を固定ネジまたは溶接により固定する、
ことを特徴とするコンデンサモジュールの製造方法。
【発明の詳細な説明】
【技術分野】
【０００１】
本発明は、複数のコンデンサを備えるコンデンサモジュールおよびその製造方法に関する。
【背景技術】
【０００２】
電気エネルギを駆動や制動に用いる自動車などの機器では、電気エネルギの蓄積にコンデンサが用いられる。コンデンサは急速充放電特性に優れているので、始動や制動の迅速性が求められる自動車などの機器に適している。
【０００３】
搭載機器側の始動や制動に必要な電力に対応するため、コンデンサに大容量化が要請される場合、複数のコンデンサを用いることにより、必要な容量や高圧化が図られる。この場合、複数のコンデンサを集合させたコンデンサモジュールが用いられる。
【０００４】
斯かるコンデンサモジュールではケース部材に複数のコンデンサを保持させることが知られている（たとえば、特許文献１）。また、コンデンサとケース部材の間に絶縁樹脂を充填し、コンデンサを絶縁するとともにケース部材の内部に強固に固定されたコンデンサモジュールを構成することが知られている（たとえば、特許文献２および特許文献３）。一方で、コンデンサモジュールについては、絶縁化とともに軽量化が要求されているが、絶縁樹脂を充填した場合、固定強度や絶縁性は高まるものの、軽量化を妨げることになる。そこで、絶縁樹脂を充填しないコンデンサモジュールも検討されている（たとえば、特許文献４）。このようなコンデンサモジュールでは軽量化を実現するため、樹脂製のケース部材に複数のコンデンサを装着している。各コンデンサを設置するケース部材はたとえば、端子側を覆う第１のケース部材、コンデンサの底部側を覆う第２のケース部材に分割され、これらケース部材を連結するセパレートタイプのケース部材が用いられている。
【先行技術文献】
【特許文献】
【０００５】
【特許文献１】特開２００８−２０４９８８号公報
【特許文献２】特開２０１０−８７２６９号公報
【特許文献３】特開２００７−１４０８５号公報
【特許文献４】特開２００５−９４９４２号公報
【発明の概要】
【発明が解決しようとする課題】
【０００６】
ところで、コンデンサモジュールでは、モジュール内のコンデンサの外部端子とバスバーの接続性を維持するため、外部端子間のバスバーによる接続と、この接続とは異なる部位でメインケースとコンデンサの固定を担うことが要求されている。つまり、コンデンサとコンデンサモジュールとの固定を外部端子で兼ねた場合、コンデンサモジュールを振動環境下で用いて、コンデンサモジュールに振動が加わると外部端子とバスバーの接続部に負荷が加わる。この場合、外部端子とバスバーの接続部にも負荷が掛かり、接続性が低下することがある。このため、バスバー接続用の外部端子とは別にコンデンサにはケース部材を固定する補助端子を設ける。
【０００７】
コンデンサモジュールの搭載機器によっては、コンデンサモジュールが高温環境に設置される場合がある。コンデンサモジュールのケース部材が樹脂材料で形成されていると、補助端子のネジ受け部分が高温により緩むおそれがあるとの課題がある。
【０００８】
補助端子の固定が緩んだ場合には、ケース部材とコンデンサとの固定がコンデンサの外部端子で担うことになり、コンデンサの外部端子に負荷が加わるという課題がある。コンデンサの外部端子に負荷が加わると、外部端子と外部回路との接続状態が劣化するなど、接続性に問題が生じるという課題がある。
【０００９】
本発明は、複数のコンデンサが装着されるコンデンサモジュールにおいて、コンデンサの補助端子とケース部材との固定強度を高め、固定の安定性を向上させることを目的とする。
【課題を解決するための手段】
【００１０】
上記目的を達成するため、本発明のコンデンサモジュールは、複数のコンデンサを収納する収納部を有するケース部材を備えるコンデンサモジュールであって、前記コンデンサは前記ケース部材と固定される補助端子を備え、前記ケース部材は金属板を一体成形した端子受け部を備え、前記補助端子が前記端子受け部の前記金属板に固定されている。
【００１１】
上記コンデンサモジュールにおいて、前記補助端子と前記金属板がネジにより固定されてもよい。
【００１２】
上記コンデンサモジュールにおいて、前記補助端子と前記金属板が溶接により固定されてもよい。
【００１３】
上記目的を達成するため、本発明のコンデンサモジュールの製造方法は、複数のコンデンサを収納する収納部を有するケース部材を備えるコンデンサモジュールの製造方法であって、前記ケース部材に金属板の一体成形により端子受け部を形成し、前記金属板に前記コンデンサの補助端子を固定ねじまたは溶接により固定する。
【発明の効果】
【００１４】
本発明によれば、次の効果が得られる。
【００１５】
(1) コンデンサの補助端子が固定されるケース部材の端子受け部に金属板が一体成形されているので、コンデンサの補助端子を金属板に固定するので、補助端子とケース部材との固定強度を高めることができる。
【００１６】
(2) ケース部材の端子受け部に金属板が一体成形されているので、コンデンサモジュールが高温環境下で使用されても、端子受け部が緩むことがなく、コンデンサとケース部材を固定し続けることができ、固定の安定化を図ることができる。
【００１７】
(3) 端子受け部に金属板を設置したので、この金属板とコンデンサモジュール内のコンデンサの補助端子とを溶接や固定ねじにより強固に固定することができる。
【図面の簡単な説明】
【００１８】
【図１】一実施の形態に係るコンデンサモジュールを示す側面図である。
【図２】端子取付け部の縦断面、ケース部材とコンデンサの固定断面を示す断面図である。
【発明を実施するための形態】
【００１９】
図１は、一実施の形態に係るコンデンサモジュールの一例を示している。このコンデンサモジュール２には、第１のケース部材としてメインケース４−１、第２のケース部材としてボトムケース４−２を備える。メインケース４−１およびボトムケース４−２はたとえば、熱可塑性合成樹脂で形成する。メインケース４−１およびボトムケース４−２は複数のコンデンサ６を収納する複数の収納部８を備える。
【００２０】
コンデンサ６には電解コンデンサ、電気二重層コンデンサなどが用いられる。コンデンサ６は、円筒状の外装ケースにコンデンサ素子が挿入され、外装ケースが封口板１０で封口される。この封口板１０は絶縁性合成樹脂などの絶縁板で形成され、この封口板１０には陽極端子１２、陰極端子１４および補助端子１６が形成されている。陽極端子１２、陰極端子１４および補助端子１６は封口板１０の成形の際、インサート成形により封口板１０に一体に取り付けられる。陽極端子１２にはコンデンサ素子の陽極が接続され、陰極端子１４にはコンデンサ素子の陰極が接続される。補助端子１６はコンデンサ６とメインケース４−１との固定などに用いられ、ネジ孔３８（図２のＢ）を備えている。
【００２１】
メインケース４−１にはコンデンサ６を収納する収納部８と端子取付け部１８が備えられる。端子取付け部１８は収納部８の天井部に形成され、平板状である。この端子取付け部１８には、コンデンサ６の陽極端子１２、陰極端子１４を貫通させる端子配置部２０、２２と、補助端子１６に対する端子受け部２４とを備えている。この実施の形態では、端子配置部２０、２２が端子取付け部１８の長手方向に配列されている。これに対し、端子受け部２４は端子配置部２０、２２の間隔中心位置でその間隔方向と直交方向に形成されている。このような配置関係から、各コンデンサ６の装着位置や装着方向が決定される。この端子受け部２４には固定ネジ２６が取り付けられ、コンデンサ６の補助端子１６を固定する。固定ネジ２６は頭部２８とネジ部３０とを備える。なお、端子受け部２４にはＵ字形の分離壁が形成されてもよい。この分離壁に連続して端子配置部２０、２２間を分離する分離壁が形成されてもよい。これら分離壁を形成すれば、陽極端子１２、陰極端子１４、補助端子１６のそれぞれに対して絶縁性を確保できる。
【００２２】
ボトムケース４−２には、筒状の収納部８が備えられている。ボトムケース４−２がコンデンサ６のボトム側に嵌合され、メインケース４−１に結合されると、各コンデンサ６がボトムケース４−２側に収納される。ボトムケース４−２の収納部８にはコンデンサ６が嵌入されており、コンデンサ６はボトムケース４−２に密着している。ボトムケース４−２とコンデンサ６が嵌合することで、コンデンサモジュール２に振動が加わった場合にも、コンデンサ６の振動による負荷を低減でき、コンデンサ４の陽極端子１２、陰極端子１４や補助端子１６への負荷を低減できる。さらに、コンデンサ６のボトム側を収納することで絶縁性を確保できる。
【００２３】
図２のＡは、端子取付け部１８の縦断面を示している。メインケース４−１の天井部には収納部８と一体に端子取付け部１８が形成されている。この端子取付け部１８には、既述の端子受け部２４が形成されている。この端子受け部２４は、貫通孔３２と、端子受け板３４とを備える。この端子受け板３４は端子取付け部１８と一体成形された金属板の一例である。この端子受け板３４には固定ネジ２６のネジ部３０を挿通させる挿通孔３６を備える。
【００２４】
図２のＢは、補助端子１６の固定部の縦断面を示している。コンデンサ６の端子側にメインケース４−１が被せられる。メインケース４−１の端子取付け部１８の端子配置部２０、２２に、収納部８からコンデンサ６の陽極端子１２、陰極端子１４を貫通させる。同時に端子受け部２４に補助端子１６を配置させる。メインケース４−１の収納部８に装着されるコンデンサ６の補助端子１６は、メインケース４−１の内面側から端子受け部２４の端子受け板３４に位置決めされ、固定ネジ２６を端子受け板３４の上面側から補助端子１６のネジ孔３８にネジ部３０をねじ込む。これにより、この固定ネジ２６とコンデンサ６の補助端子１６との間にメインケース４−１の端子受け板３４が挟み込まれ、補助端子１６に固定ネジ２６が固定される。
【００２５】
＜一実施の形態の効果＞
【００２６】
(1) コンデンサ６の補助端子１６を固定するメインケース４−１の端子受け部２４に金属板である端子受け板３４がインサート成形されているので、メインケース４−１の端子受け部２４を端子受け板３４により補強することができる。
【００２７】
(2) このようなコンデンサモジュール２を高温環境下で使用しても、端子受け部２４に取り付けられた固定ネジ２６が緩むことがなく、コンデンサ６とメインケース４−１との固定状態を維持でき、安定した固定構造が得られる。
【００２８】
(3) コンデンサ６とメインケース４−１を固定する補助端子１６の固定が安定するため、コンデンサモジュール２を振動環境下で用いた場合でも、外部端子とバスバーの接続部に負荷が加わり難い構造となる。
【００２９】
(4) メインケース４−１に金属板が一体成形された端子受け板３４を備えているので、補助端子１６と固定する際の位置合わせが可能となる。そのため、外部端子とバスバーとの接続部の高さ位置が一定となり、接続部に対する負荷を軽減できる。
【００３０】
(5) 金属板である端子受け部３４を補助端子１６との固定部に配置することで、コンデンサモジュール２を樹脂で成型することが可能となり、コンデンサモジュール２の軽量化とともに、コンデンサモジュール２の固定の安定化に寄与することができる。
【００３１】
〔他の実施の形態〕
【００３２】
上記実施の形態では、固定ネジ２６により固定したが、コンデンサ６の補助端子１６と端子受け板３４とをレーザ溶接などの溶接により固定してもよい。斯かる構成によれば、固定構造の簡略化とともに、部品点数を削減できる。また、溶接による固定のため、補助端子１６と端子受け部３４を一体化できるので、コンデンサ６とコンデンサモジュール２の補助端子１６による固定をより強固にできる。
【００３３】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００３４】
複数のコンデンサをケース部材に装着したコンデンサモジュールの製造方法であって、ケース部材の端子受け部に金属板を一体成形して補強したので、金属板にコンデンサの補助端子を固定ネジまたは溶接により固定でき、補助端子の固定状態の維持および安定化が図られる。
【符号の説明】
【００３５】
２  コンデンサモジュール
４−１  メインケース
４−２  ボトムケース
６  コンデンサ
８  収納部
１０  封口板
１２  陽極端子
１４  陰極端子
１６  補助端子
１８  端子取付け部
２０、２２  端子配置部
２４  端子受け部
２６  固定ネジ
２８  頭部
３０  ネジ部
３２  貫通孔
３４  端子受け板
３６  挿通孔
３８  ネジ孔
【図１】
2015012232.tif 000003
【図２】
2015012232.tif 000004